(57)【要約】【課題】表示対象の画像を時間経過に応じて順次画像変換する場合に、その変換途中で変換を一時停止させる事態が起きたとしてもその事態が解消した時点でその変換途中から画像変換を継続できるようにする。【解決手段】ＣＰＵ１は、表示部４に表示されている画像を画像変換処理部８が時間経過に応じて順次画像変換する場合に、その変換途中で画像変換を一時停止させる停止条件が成立した際に、その時点における変換途中の状態を示す情報を当該画像に対応付けて保持しておき、画像変換の一時停止条件が解除された際に、保持されている変換途中の状態から画像変換を復帰させる。【選択図】  図１
2012156703.tif 000002
【特許請求の範囲】
【請求項１】
表示対象の画像を表示する画像表示装置であって、
前記表示対象の画像を時間経過に応じて順次画像変換する画像変換手段と、
前記画像変換手段による画像変換の途中においてその変換を一時停止させる停止条件の成立及びその解除を検出する検出手段と、
前記検出手段により画像変換の一時停止条件が成立したことが検出された際に、その時点における変換途中の状態を示す情報を当該画像に対応付けて保持する保持手段と、
前記検出手段により前記画像変換の一時停止条件の解除が検出された際に、前記保持手段により保持されている変換途中の状態から前記画像変換を復帰させる制御手段と、
を備えたことを特徴とする画像表示装置。
【請求項２】
前記画像変換手段は、前記画像内の所定位置を変換基点として、その変換基点から徐々に変換領域を拡げながらその変換領域内の画像部分に対して画像変換を順次行う、
ようにしたことを特徴とする請求項１記載の画像表示装置。
【請求項３】
前記画像を表示する表示部としてタッチ入力が可能なタッチ表示部を備え、
前記画像変換手段は、前記タッチ表示部内の任意の位置がタッチされた際に、当該タッチ位置を変換基点とする、
ようにしたことを特徴とする請求項２記載の画像表示装置。
【請求項４】
前記画像変換手段は、前記画像の周囲から徐々に変換領域を狭めながらその変換領域外の画像部分に対して画像変換を順次行う、
ようにしたことを特徴とする請求項１〜請求項３のいずれかに記載の画像表示装置。
【請求項５】
前記保持手段は、現時点における変換途中の画像データを変換途中の状態を示す情報として保持する、
ようにしたことを特徴とする請求項１〜請求項４のいずれかに記載の画像表示装置。
【請求項６】
前記画像変換手段は、前記画像を複数の段階の変換レベルに従って段階的に画像変換を順次行う、
ようにしたことを特徴とする請求項１記載の画像表示装置。
【請求項７】
前記保持手段は、現時点における前記変換レベルを示す情報を変換途中の状態を示す情報として保持する、
ようにしたことを特徴とする請求項６記載の画像表示装置。
【請求項８】
前記画像変換手段は、前記画像変換前の原画像を予め決められたアルゴリズムに基づいて所定の画調に順次変換する、
ようにしたことを特徴とする請求項１記載の画像表示装置。
【請求項９】
前記画像変換手段は、前記画像変換前の原画像を予め決められたアルゴリズムに基づいて所定の画調に変換した変換済み画像を表示対象として、この変換済み画像を順次逆変換することにより元の原画像に徐々に戻す、
ようにしたことを特徴とする請求項１記載の画像表示装置。
【請求項１０】
前記検出手段は、複数の画像を順次切り替え表示するスライドショー表示中に次の画像が表示させる際に、画像変換の一時停止条件が成立したことを検出し、スライドショー表示が一巡して再び同じ画像を表示する際に、画像変換の一時停止条件が解除されたことを検出する、
ようにしたことを特徴とする請求項１記載の画像表示装置。
【請求項１１】
画像を表示する表示部に人物の視線が向いているか否かを監視する監視手段を更に備え、
前記検出手段は、前記監視手段により表示部から視線が離れて向いていないことが検出された際に、画像変換の一時停止条件が成立したことを検出し、前記監視手段により表示部に視線が戻されて向いていることが検出された際に、画像変換の一時停止条件が解除されたことを検出する、
ようにしたことを特徴とする請求項１記載の画像表示装置。
【請求項１２】
画像を表示する表示部の前に人物が居るか否かを監視する第２の監視手段を更に備え、
前記検出手段は、前記第２の監視手段により表示部の前の人物が離れて居なくなったことが検出された際に、画像変換の一時停止条件が成立したことを検出し、前記第２の監視手段により表示部から離れた人物が戻って来てその前に居ることが検出された際に、画像変換の一時停止条件が解除されたことを検出する、
ようにしたことを特徴とする請求項１記載の画像表示装置。
【請求項１３】
コンピュータに対して、
表示対象の画像を表示する機能と、
前記表示対象の画像を時間経過に応じて順次画像変換する機能と、
画像変換の途中においてその変換を一時停止させる停止条件の成立及びその解除を検出する機能と、
前記画像変換の一時停止条件が成立したことが検出された際に、その時点における変換途中の状態を示す情報を当該画像に対応付けて保持する機能と、
前記画像変換の一時停止条件の解除が検出された際に、前記保持されている変換途中の状態から前記画像変換を復帰する機能と、
を実現させるためのプログラム。
【発明の詳細な説明】
【技術分野】
【０００１】
本発明は、表示対象の画像を表示する画像表示装置及びプログラムに関する。
【背景技術】
【０００２】
近年、デジタルカメラで撮影された画像を再生する装置として、デジタルフォトフレームと呼ばれる再生専用機が製品化されている。このデジタルフォトフレームは、好みの場所に設置しておくだけで、いつでも自由に画像を鑑賞（視認）することができるという利点を有している。そして、例えば、従来においては、デジタルフォトフレームに画像を表示する際に、そのフォトフレームの前に居るユーザの人数、またユーザが誰なのかに応じて、そのフォトフレームに表示される画像の表示態様を変化させるようにした技術が存在している（特許文献１参照）。また、単に写真画像をそのまま表示するのではなく、写真画像を絵画調に変換することで壁掛け画像として、より特徴を出せるようにした技術も存在している（特許文献２参照）。
【先行技術文献】
【特許文献】
【０００３】
【特許文献１】特開２０１０−１６４３２号公報
【特許文献１】特開２００２−２９８１３６号公報
【発明の概要】
【発明が解決しようとする課題】
【０００４】
しかしながら、上述した先行技術（特許文献１）にあっては、フォトフレームの場所に居るユーザに応じて画像の表示態様を変更するようにしているが、例えば、そのフォトフレームの前に居るユーザの人数が同じであれば、表示画像の内容は常に固定されてしまう。また、先行技術（特許文献２）にあっても、ユーザにあっては絵画調に変換された結果の画像を楽しむことができるが、絵画調の画像を常に固定的に表示することは、絵画調の画像とはいえ、直ぐに飽きられてしまう可能性が高い。
【０００５】
そこで、例えば、絵画調に変換された変換画像と、元のオリジナル画像（原画像）との差分を比較することができれば、又はオリジナル画像から絵画調の画像がどのように変化したのかを知ることができれば、その変化の過程を楽しむことが可能となる。このような場合、変化の過程を高速に表示するよりも時間をかけて表示した方が鑑賞の点で効果的なものとなるが、その変化の過程でユーザが一時的にでも目を離してしまうと、画像の変化を楽しむことができなくなってしまう。また、複数枚の画像を順次切り替え表示するスライドショー表示を行う場合にも画像が切り替わる毎にそのオリジナル画像から絵画調の画像に変化させるようにすれば効果的なものとなるが、その変換の途中で次の画像に切り替わってしまうと、画像の変化を楽しむことができなくなってしまう。
【０００６】
本発明の課題は、表示対象の画像を時間経過に応じて順次画像変換する場合に、その変換途中で変換を一時停止させる事態が起きたとしてもその事態が解消した時点でその変換途中から画像変換を継続できるようにすることである。
【課題を解決するための手段】
【０００７】
上述した課題を解決するために本発明の一つの態様は、
表示対象の画像を表示する画像表示装置であって、
前記表示対象の画像を時間経過に応じて順次画像変換する画像変換手段と、
前記画像変換手段による画像変換の途中においてその変換を一時停止させる停止条件の成立及びその解除を検出する検出手段と、
前記検出手段により画像変換の一時停止条件が成立したことが検出された際に、その時点における変換途中の状態を示す情報を当該画像に対応付けて保持する保持手段と、
前記検出手段により前記画像変換の一時停止条件の解除が検出された際に、前記保持手段により保持されている変換途中の状態から前記画像変換を復帰させる制御手段と、
を備えたことを特徴とする画像表示装置。
【０００８】
上述した課題を解決するために本発明の他の態様は、
コンピュータに対して、
表示対象の画像を表示する機能と、
前記表示対象の画像を時間経過に応じて順次画像変換する機能と、
画像変換の途中においてその変換を一時停止させる停止条件の成立及びその解除を検出する機能と、
前記画像変換の一時停止条件が成立したことが検出された際に、その時点における変換途中の状態を示す情報を当該画像に対応付けて保持する機能と、
前記画像変換の一時停止条件の解除が検出された際に、前記保持されている変換途中の状態から前記画像変換を復帰する機能と、
を実現させるためのプログラム。
【発明の効果】
【０００９】
本発明によれば、表示対象の画像を時間経過に応じて順次画像変換する場合に、その変換途中で変換を一時停止させる事態が起きたとしてもその事態が解消した時点でその変換途中から画像変換を継続することができ、ユーザにあっては画像変化の様子を最後まで楽しむことができる。
【図面の簡単な説明】
【００１０】
【図１】画像表示装置として適用した再生専用機としてのデジタルフォトフレームの基本的な構成要素を示したブロック図。
【図２】（１）〜（４）は、オリジナル画像が絵画調（例えば、ペン絵画調）の画像に徐々に変換されてゆく様子を例示した図。
【図３】選択画像表示機能の起動に応じて実行開始される第１実施形態の特徴部分な動作を示したフローチャート。
【図４】図３の動作に続くフローチャート。
【図５】図４の動作に続くフローチャート。
【図６】第２実施形態において、スライドショー表示を例示した図。
【図７】（１）〜（４）は、表示されている画像が複数の段階の変換レベルに従って段階的に所定の画調に順次画像変換されてゆく様子を例示した図。
【図８】スライドショー表示機能の起動に応じて実行開始される第２実施形態の特徴部分な動作を示したフローチャート。
【図９】図８の動作に続くフローチャート。
【発明を実施するための形態】
【００１１】
以下、本発明の実施の形態について、図面を参照して詳細に説明する。
（第１実施形態）
先ず、図１〜図５を参照して本発明の第１実施形態を説明する。
図１は、画像表示装置として適用した再生専用機としてのデジタルフォトフレームの基本的な構成要素を示したブロック図である。
デジタルフォトフレームは、好みの場所に自由に設置可能なスタンドタイプや壁掛けタイプの画像表示装置で、複数の画像を所定時間毎に順次表示するスライドショー機能、複数の画像の中から任意に選択された画像を表示する選択画像表示機能、表示中の画像を日本絵や西洋絵などの絵画調の画像に時間経過に応じて順次変換する画像変換機能などが備えられている。
【００１２】
ここで、第１実施形態の特徴概要について簡単に説明しておくと、第１実施形態のデジタルフォトフレームは、上述の選択画像表示機能により任意に選択された画像をユーザが見ている間、画像変換機能により絵画調の画像に順次画像変換しながら変換画像を順次表示するようにし、ユーザが変換途中で画像を見なくなったときには、その変換途中の変換画像を保持しておき、再び、ユーザが見るようになった際に、画像変換機能を再起動して、保持しておいた変換途中の画像から画像変換を継続して変換画像を順次表示するようにしたものである。
【００１３】
このデジタルフォトフレームは、ＣＰＵ１を中核とするもので、ＣＰＵ１は、電源部（例えば、商用電源又は二次電池）２からの電力供給によって動作し、記憶部３内の各種のプログラムに応じてこのデジタルフォトフレームの全体動作を制御するメインの中央演算処理装置である。記憶部３は、例えば、ＲＯＭ、ＲＡＭ、ハードディスク、フラッシュメモリなどで構成され、図３〜図５に示した動作手順に応じて本実施形態を実現するためのプログラムや各種のアプリケーションなどが格納されているプログラムメモリＭ１と、画像（静止画データ、動画データ）を保存記憶する画像データメモリＭ２と、このデジタルフォトフレームが動作するために必要となる各種の情報を一時的に記憶するワークメモリＭ３などを有している。なお、画像データメモリＭ２は、複数のお気に入り画像を順次記憶するお気に入り画像フォルダ、最新入手した複数の画像を順次記憶する最新画像フォルダなど、各種の画像フォルダを有している。
【００１４】
表示部４は、例えば、高精細液晶ディスプレイや有機ＥＬ（Electro Luminescence）ディスプレイ、電気泳動型ディスプレイ（電子ペーパ）などを使用し、例えば、画像データを高精細に表示するもので、ＣＰＵ１は、画像データ記憶部Ｍ２に記憶されている画像データを読み出して表示部４に表示させる。この表示部４は、その表面に指の接触を検出する接触操作部（透明なタッチパネル）を積層配設されており、例えば、静電容量方式、抵抗膜方式、圧電方式などのいずれかの方式によるタッチスクリーン（タッチ画面）を構成するようにしている。操作部５は、図示省略したが、例えば、電源をオン／オフさせるキーなどを備え、ＣＰＵ１は、この操作部５からの入力操作信号に応じた処理を行う。
【００１５】
カードＩＦ（インターフェース）６は、カードスロット（図示省略）に挿入接続されたメモリカード（図示省略）との間で画像データの送受信を行うもので、所望する各種の画像データをメモリカード（例えば、ＳＤカード）から取得する。ＣＰＵ１は、カードＩＦ６を介して取得した画像データを画像データ記憶部Ｍ２に記憶させる。なお、図示しないが、ＵＳＢ（Universal Serial Bus）インタフェースを設け、ＵＳＢメモリから画像データを読み出して、画像データ記憶部Ｍ２に記憶させるようにしてもよく、近距離通信や広域通信を利用して所望する画像データを取得して画像データ記憶部Ｍ２に記憶させるようにしてもよい。
【００１６】
撮像部７は、デジタルフォトフレームの前面側において表示部４の近傍に配設され、例えば、１２０°の広角撮影が可能となっている。そして、撮像部７は、撮影レンズ、撮像素子（Ｃ−ＭＯＳ、ＣＣＤ）、光学系駆動部のほか、アナログ処理回路、信号処理回路などを備えている。ＣＰＵ１は、撮像部７で撮像された画像を解析しながら表示部４の前に人物（ユーザ）が居るか否かを判別する。そして、表示部４の前にユーザが居る場合には、顔の輪郭や顔を形成するバーツ（目、口、鼻、額など）の形や位置関係などを総合的に判断して、そのユーザの顔を中心とした画像部分を検出し、この顔画像部分を解析することにより、表示部４に視線が向いているか否かを判別するようにしている。ここで、ユーザの顔が表示部４に向いている状態とは、画像認識により両目を特定することができる状態を意味しているが、両目の瞳が表示部４に向いている状態を意味するようにしてもよい。なお、撮像部７からの撮影画像に基づいて顔検出や視線検出を行う機能は、一般的な技術であり、本実施形態ではその周知技術を利用するようにしているため、その具体的な説明については省略するものとする。
【００１７】
画像変換処理部８は、オリジナル画像（原画像）を予め決められたアルゴリズムに基づいて所定の画調に順次画像変換する処理を行うもので、専用ＣＰＵ（図示省略）の制御下で画像変換を行うようにしている。ここで、所定の画調とは、例えば、「日本絵画調」、「西洋絵画調」、「水彩絵画調」、「水墨絵画調」、「パステル調」、「ペン絵画調」、「アニメ調」などの絵画調であり、このような絵画調の画像に変換する際のパラメータとしては、コントラスト、明るさ、色の濃さ、色合い、シャープネス、ノイズ低減フィルタの効果設定、色温度、γ補正のγ値などのいずれか、あるいはそれらの組み合わせを使用するようにしているが、これに限らないことは勿論である。例えば、「日本絵画調」に対しては、陰影がなく色調が単調となるようなパラメータを使用して画像変換を行い、「西洋絵画調」に対しては、陰影が強調され色調が濃厚となるパラメータを使用して画像変換を行うようにしている。なお、この画像変換（絵画調変換）の技術は一般的であり、本実施形態ではその周知技術を利用するようにしているため、その具体的な説明については省略するものとする。
【００１８】
そして、画像変換処理部８は、オリジナル画面を絵画調の画像に変換する際に、表示部（タッチスクリーン）４に表示されているオリジナル画像内の任意の位置がユーザ操作によりタッチされた際に、そのタッチ位置を変換基点とし、また、そのようなタッチ操作が行われなければ、予め決められている位置（例えば、画面の中心位置）を変換基点として、その変換基点から時間経過に応じて徐々に変換領域（例えば、円形領域）を拡げながらその変換領域内の画像部分に対して画像変換を順次行うことにより、オリジナル画像を絵画調（例えば、ペン絵画調）の画像に徐々に変換するようにしている。なお、変換領域は、実際には存在しない仮想的な領域であり、その形状は、円形領域に限らず、矩形領域などであってもよく、その形状は問わない。
【００１９】
図２は、オリジナル画像が絵画調（例えば、ペン絵画調）の画像に徐々に変換されてゆく様子を例示した図である。なお、図示のオリジナル画像は、高層ビルの前に立っている人物を記念撮影した撮影画像を例示したものである。
ここで、本実施形態においては、図示のようにオリジナル画像内の任意の点がタッチされると、そのタッチ位置を変換基点として、その変換基点から時間経過に応じて徐々に変換領域（円形領域）を拡げながらその変換領域内の画像部分をペン絵画調に順次画像変換するようにしている。なお、オリジナル画像内へのタッチ操作が行われなければ、オリジナル画像の所定位置（画像の中心位置）を変換基点とするようにしている。
【００２０】
図２（１）は、オリジナル画像の一点（図中、左上の隅部）をタッチしてから１秒が経過した際の変換画像の表示状態を示し、１秒経過後には変換領域が図示のように拡大される結果、この変換領域内の画像部分（高層ビルの左上角部分）がペン絵画調に変換される。図２（２）は、オリジナル画像をタッチしてから２秒が経過した際の変換画像の表示状態を示し、２秒経過後には変換領域が図示のように拡大される。この場合、図２（１）の１秒後に比べて変換領域の大きさは、略２倍程度となり、その変換領域内の画像部分がペン絵画調に変換される。
【００２１】
同様に、図２（３）は、タッチ後３秒経過した際の変換画像の表示状態を示し、図２（１）の１秒後に比べて変換領域の大きさは、略３倍程度となり、その変換領域内の画像部分がペン絵画調に変換される。また、図２（４）は、タッチ後４秒経過した際の変換画像の表示状態を示し、図２（１）の１秒後に比べて変換領域の大きさは、略４倍程度となり、その変換領域内の画像部分がペン絵画調に変換される。ここで、オリジナル画像をタッチしてから１０秒が経過した際には、オリジナル画像の全体領域が全てペン絵画調に変換されることになる。
【００２２】
このようにして変換領域を徐々に拡げながらその変換領域内のオリジナル画像を順次画像変換している過程において、つまり、オリジナル画像の全体領域を完全に画像変換する前において、ＣＰＵ１は、その画像変換を一時停止させる停止条件が成立したことを検出すると、表示対象のオリジナル画像に対応付けて、その時点での変換途中の状態を示す情報として、変換途中の画像データ及び変換基点をワークメモリＭ３に一時保持するようにしている。例えば、変換を開始してから４秒経過した時点で画像変換の一時停止条件が成立したときには、図２（４）に示した変換途中の画像データを、変換基点（タッチ位置）と共に一時保持するようにしている。
【００２３】
ここで、第１実施形態において画像変換の一時停止の条件が成立する際とは、撮像部７からの撮影画像に基づいて顔検出や視線検出を行う機能により表示部４にユーザの視線が向いていないことが検出された際を意味している。なお、一時停止の条件としては、表示部４に視線が向いているか否かに限らない。また、画像変換の一時停止条件が解除されると、画像データメモリＭ２に記憶保持されていた変換途中の画像データを変換基点と共に読み出し、この変換途中の画像データから画像変換を再開（復帰）させて継続するようにしている。ここで、第１実施形態において画像変換の一時停止条件が解除される際とは、顔検出や視線検出の機能により表示部４に視線が再び向けられたことが検出された際を意味している。なお、以下、説明の簡素化を図るためにユーザが同一の人物（一人）の場合を想定するものとする。
【００２４】
次に、第１実施形態におけるデジタルフォトフレームの動作概念を図３〜図５に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。
【００２５】
図３〜図５は、デジタルフォトフレームの全体動作のうち、第１実施形態の特徴部分な動作を示したフローチャートである。すなわち、オリジナル画像を所定画調の画像に徐々に変換しながら表示したり、この所定画調の画像を元のオリジナル画像に徐々に逆変換しながら表示したりする処理を示したフローチャートで、上述の選択画像表示機能の起動に応じて実行開始される。なお、この図３及び図４のフローから抜けた際には、全体動作のメインフロー（図示省略）に戻る。
先ず、ＣＰＵ１は、選択画像表示機能が起動されると、画像データ記憶部Ｍ２内の各画像データをサムネイル一覧表示させた状態において、この一覧表示の中から表示対象とする所望の画像データがユーザ操作により選択されると、選択された画像データを画像データメモリＭ２から表示対象として読み出す処理を行う（図３のステップＡ１）。
【００２６】
そして、この選択画像データに対応付けて変換途中の画像データが保持されているかを調べる（ステップＡ２）。すなわち、後述するが、前回、図３〜図５のフローの実行で変換途中の画像データが画像データメモリＭ２に記憶保持されたかを調べる。いま、変換途中の画像データが保持されていなければ（ステップＡ２でＮＯ）、この選択画像（オリジナル画像）を表示させる（ステップＡ３）。なお、この表示画面にはオリジナル画像と共に所定のメッセージ（例えば、表示画像内の任意の位置を変換基点とするときには、所望する位置をタッチして下さい）が表示される。
【００２７】
このように選択画像が表示されている状態において、選択画像内の任意の位置がタッチ操作されたかを調べたり（ステップＡ４）、選択画像を表示してから所定時間（例えば、５秒）が経過したかを調べたりしながら（ステップＡ６）、所定時間内にタッチ操作が行われるまでステップＡ４に戻って待ち状態となる。いま、所定時間内にタッチ操作が行われたときには（ステップＡ４でＹＥＳ）、タッチ位置を検出してそのタッチ位置を変換基点としてワークメモリＭ３に設定するが（ステップＡ５）、所定時間内にタッチ操作が行われなければ（ステップＡ４でＮＯ、ステップＡ６でＹＥＳ）、選択画像の中心位置を変換基点としてワークメモリＭ３に設定する（ステップＡ７）。その後、変換タイミングになったか、例えば、１／２秒が経過したかを調べたり（ステップＡ１０）、画像表示機能を終了させる終了操作が行われたかを調べたりしながら（ステップＡ１１）待ち状態となる。
【００２８】
変換タイミングになったときには（ステップＡ１０でＹＥＳ）、図４のフローに移り、設定した変換基点を中心とした変換領域（円形領域）を一回り（所定サイズ）大きくする拡大処理を行うが（ステップＡ１４）、最初の変換基点の設定直後においては、所定サイズの変換領域（小円）を生成してその中心点を変換基点の中心点に合わせる処理を行う。そして、この変換領域内の画像部分を絵画調の画像などに画像変換する処理を行うが（ステップＡ１５）、絵画調変換処理（ペン絵画調）では、例えば、エッジのポスタリゼーションというフィルタ機能を使うことによりスケッチした絵のような雰囲気に仕上げるようにしている。なお、絵画調変換処理としては、このようなスケッチ風（ペン書き風）に限らず、油絵風などであってもよい。これによって変換した画像部分をオリジナル画像の他の部分と合成し、この合成画像を元のオリジナル画像に代わって表示させる（ステップＡ１６）。
【００２９】
そして、デジタルフォトフレームの前面側を撮影する撮像部７からの撮影画像に基づいて顔検出や視線検出を行う機能の検出結果からユーザの視線が表示部４に向いているかを調べる（ステップＡ１７）。この場合、表示部４の前に人物が居れば、その顔部分を検出し、この顔画像部分を解析することで両目を特定することができたか否かによりユーザの視線が表示部４に向いているかを調べる。いま、ユーザの視線が表示部４に向いていれば（ステップＡ１７でＹＥＳ）、オリジナル画像の全体領域まで絵画調変換が完了したかを調べ（ステップＡ１８）、画像全体まで変換が完了していない変換途中であれば（ステップＡ１８でＮＯ）、変換タイミングになったかを調べる上述のステップＡ１０に戻る。
【００３０】
以下、変換タイミングに達する毎に（ステップＡ１０でＹＥＳ）、変換領域を徐々に拡げながら、その領域内の画像部分を絵画調に変換して表示する処理を繰り返す（ステップＡ１４〜Ａ１６）。なお、前回の画像変換から１／２秒後における今回の画像変換時には、変換領域の拡大により拡がった画像部分に対してのみ画像変換を行うようにしてもよい。いま、オリジナル画像の全領域まで絵画調変換が全て完了する前の変換途中において、ユーザの視線が表示部４に向いていないことが検出されたときには（ステップＡ１７でＮＯ）、画像変換の一時停止の条件が成立したものとして、ステップＡ１９に移り、その時点での変換途中の画像データ及び変換基点をワークメモリＭ３に一時保持する。そして、ユーザの視線が表示部４に向いているか、つまり、表示部４に向いていた視線が一旦離れてから再び表示部４に向くようになったかを調べ（ステップＡ２０）、再びユーザの視線が表示部４に向くようになるまで待機状態となる。
【００３１】
ユーザの視線が表示部４に再び向くようになったときには（ステップＡ２０でＹＥＳ）、画像変換の一時停止の条件が解除されたものとして、ステップＡ２１に移り、ワークメモリＭ３に一時保持されている変換途中の画像データを変換基点と共に読み出して、この変換途中の画像データを表示させる（ステップＡ２２）。そして、ワークメモリＭ３に一時保持されている変換途中の画像データ及び変換基点をクリアした後（ステップＡ２３）、図３のステップＡ１０に戻る。以下、変換タイミングに達する毎に変換領域を徐々に拡げながら、その領域内の画像部分を絵画調に画像変換する処理を繰り返し実行する。これによって一時停止の変換途中の画像から画像変換が復帰されることになる。
【００３２】
なお、画像表示機能を終了させる操作が行われたときには（図３のステップＡ１１でＹＥＳ）、画像全体まで変換が完了したかを調べ（ステップＡ１２）、変換が完了していれば（ステップＡ１２でＹＥＳ）、図３〜図５のフローの終了となるが、変換完了前の変換途中であれば（ステップＡ１２でＮＯ）、その時点での変換途中の画像データ及び変換基点をオリジナル画像に対応付けて画像データメモリＭ２に記憶保持した後（ステップＡ１３）、図３〜図５のフローの終了となる。
【００３３】
また、オリジナル画像の全領域まで画像変換が全て完了したときには（図４のステップＡ１８でＹＥＳ）、図５のフローに移り、オリジナル画像をその全領域まで画像変換した変換済み画像をその周囲から徐々に逆変換する処理を行う。例えば、時間の経過に応じて図２（４）、（３）、（２）、（１）に示す順序に従って変換済み画像を順次逆変換する処理を行う。先ず、逆変換タイミングになったか、つまり、オリジナル画像をその全領域まで画像変換した後に所定時間が経過（例えば、１／２秒が経過）したかを調べたり（ステップＡ２４）、画像表示機能を終了させる終了操作が行われたかを調べたりしながら（ステップＡ３０）、待ち状態となる。
【００３４】
逆変換タイミングになったときには（ステップＡ２４でＹＥＳ）、変換領域がその基点位置に収束するように、変換領域（円形領域）を一回り（所定サイズ）小さくする縮小処理を行う（ステップＡ２５）。なお、最初は、変換領域は、変換済み画像の周囲まで拡大された大きさとなっているため、このサイズを一回り小さくさせる。そして、変換済み画像（以下、処理対象画像と呼称する）のうち変換領域の外側にある画像部分を逆変換する処理を行う（ステップＡ２６）。これによって最初は、処理対象画像の端の部分が絵画調画像（ペン絵画調）からオリジナル画像に変換される。そして、逆変換した画像部分（オリジナル画像）を、処理対象画像の他の部分と合成して、この合成画像を表示させる（ステップＡ２７）。そして、顔検出や視線検出を行う機能の検出結果からユーザの視線が表示部４に向いているかを調べ（ステップＡ２８）、視線が表示部４に向いていれば（ステップＡ２８でＹＥＳ）、変換基点まで逆変換が全て完了したかを調べ（ステップＡ２９）、変換基点まで逆変換が完了していなければ、つまり、変換途中であれば（ステップＡ２９でＮＯ）、逆変換タイミングになったかを調べる上述のステップＡ２４に戻る。
【００３５】
このように逆変換タイミングに達する毎に、処理対象画像の周囲から徐々に変換領域を狭めながらその領域外の画像部分を逆変換して表示する処理を繰り返す。いま、処理対象画像の全領域まで逆変換が全て完了する前の変換途中において、ユーザの視線が表示部４に向いていないことが検出されたときには（ステップＡ２８でＮＯ）、画像変換の一時停止の条件が成立したものとして、ステップＡ３３に移り、その時点での変換途中の画像データ及び変換基点をワークメモリＭ３に一時保持させる。そして、表示部４に向いていた視線が一旦離れてから再び表示部４に向くようになったかを調べ（ステップＡ３４）、ユーザの視線が表示部４に再び向くようになるまで待機状態となる。
【００３６】
ユーザの視線が表示部４に再び向くようになったときには（ステップＡ３４でＹＥＳ）、画像変換の一時停止の条件が解除されたものとして、ステップＡ３５に移り、ワークメモリＭ３に一時保持されている変換途中の画像データを変換基点と共に読み出して（ステップＡ３５）、この変換途中の画像データを表示させる（ステップＡ３６）。そして、ワークメモリＭ３に一時保持されている変換途中の画像データ及び変換基点をクリアした後（ステップＡ２３）、逆変換タイミングになったかを調べる上述のステップＡ２４に戻る。以下、逆変換タイミングに達する毎に変換領域を徐々に狭めながらその領域外の画像部分を逆変換して表示する処理を再開する。これによって時間の経過に応じて図２（４）、（３）、（２）、（１）に示す順序で逆変換が行われる。
【００３７】
なお、画像表示機能を終了させる操作が行われたときには（図５のステップＡ３０でＹＥＳ）、変換基点まで逆変換が完了したかを調べ（ステップＡ３１）、逆変換が完了していれば（ステップＡ３１でＹＥＳ）、図３〜図５のフローの終了となるが、逆変換完了前の変換途中であれば（ステップＡ３１でＮＯ）、その時点での変換途中の画像データ及び変換基点をオリジナル画像に対応付けて画像データメモリＭ２に記憶保持した後（ステップＡ３２）、図３〜図５のフローの終了となる。
【００３８】
以上のように、第１実施形態においてＣＰＵ１は、表示部４に表示されている画像を画像変換処理部８が時間経過に応じて順次画像変換している場合において、その変換途中で画像変換を一時停止させる停止条件が成立した際に、その時点における変換途中の状態を示す情報を当該画像に対応付けて保持しておき、画像変換の一時停止条件が解除された際に、保持されている変換途中の状態から画像変換を復帰させるようにしたので、表示対象の画像を時間経過に応じて順次画像変換する途中で変換を一時停止させる事態が起きたとしてもその事態が解消した時点でその変換途中から画像変換を継続することができ、ユーザにあっては画像変化の様子を最後まで楽しむことができる。
【００３９】
画像変換処理部８は、画像内の所定位置を変換基点として、その基点から徐々に変換領域を拡げながらその変換領域内の画像部分に対して画像変換を順次行うようにしたので、ユーザにあっては時間経過に応じて画像変換部分が徐々に拡がる様子を観察することができる。
【００４０】
画像内の変換基点をタッチ位置としたので、ユーザの所望する位置から画像変換を開始させることができる。
【００４１】
画像の周囲から徐々に変換領域を狭めながらその変換領域外の画像部分に対して画像変換を順次行うようにしたので、ユーザにあっては時間経過に応じて画像変換部分が徐々に狭まる様子を観察することができる。
【００４２】
変換途中で画像変換を一時停止させる停止条件が成立した際に、その時点における変換途中の状態を示す情報として、現時点における変換途中の画像データを保持するようにしたので、画像変換の復帰時には変換途中から画像変換を継続することができる。
【００４３】
オリジナル画像を予め決められたアルゴリズムに基づいて所定の画調に順次画像変換するようにしたので、ユーザにあっては、オリジナル画像が「日本絵画調」、「ペン絵画調」、「アニメ調」などの画像に徐々に変化してゆく様子を観察することができる。
【００４４】
オリジナル画像を予め決められたアルゴリズムに基づいて所定の画調に変換した変換済み画像を表示対象として、この変換済み画像を順次逆変換することにより元のオリジナル画像に徐々に戻すようにしたので、ユーザにあっては「日本絵画調」、「ペン絵画調」、「アニメ調」などの画像がオリジナル画像に徐々に変化してゆく様子を観察することができる。
【００４５】
画像変換の一時停止条件が成立したか解除されたかをユーザの視線が表示部４に向いているか否かに応じて検出するようにしたので、一時停止条件の成立と解除をユーザにとって適切なタイミングで検出することができる。
【００４６】
なお、上述した第１実施形態においては、画像変換の一時停止条件が成立したか解除されたかをユーザの視線が表示部４に向いているか否かに応じて検出するようにしたが、表示部４の前のユーザが離れて居なくなったことが検出された際に、画像変換の一時停止条件が成立したことを検出し、表示部４から離れていたユーザが戻って来てその前に居ることが検出された際に、画像変換の一時停止条件が解除されたことを検出するようにしてもよい。これによって人物の有無を検出するだけで条件の成立／解除を判別することができる。
【００４７】
なお、人物の有無を検出する際に、人体が発生する赤外線を受光する焦電センサ、超音波センサなどの距離センサを用いることにより表示部４の前のユーザが居るか否かを検出するようにしてもよい。また、デジタルフォトフレームに非接触ＩＣ通信部を備え、近傍に居る人物（表示部５を視認する視認者）に装着されているアンテナ付ＩＣタグ（図示省略）、つまり、ＲＦＩＤ（Radio Frequency Identification）タグに対して電波を発信し、それに応答してＩＣタグ側から電波でＩＣタグ（タグ識別情報）が送信されると、それを受信してＩＣタグ情報を取得するようにしてもよい。
【００４８】
また、上述した第１実施形態においては、ユーザが同一の人物（一人）の場合を想定して説明したが、家族など、ユーザが複数人であっても同様に適用可能である。すなわち、表示部４の前に居るユーザは誰であるかを特定し、画像変換の途中でユーザが表示部４の前から離れて居なくなった際に、そのユーザ特定情報に対応付けて変換途中の画像データを保持しておく。そして、ユーザが戻って来たときに、そのユーザ特定情報に対応付けて保持されている変換途中の画像データを読み出して表示させるようにすれば、ユーザが複数人であっても対応することが可能となる。
【００４９】
（第２実施形態）
以下、この発明の第２実施形態について図６〜図９を参照して説明する。
なお、上述した第１実施形態においては、複数の画像の中から表示対象として任意の画像が選択された場合に、変換領域を徐々に拡大したり、狭めたりすることにより選択画像を時間経過に応じて徐々に変換するようにしたが、この第２実施形態においては、スライドショー表示されている画像の全体を段階的に順次画像変換するようにしたものである。ここで、両実施形態において基本的あるいは名称的に同一のものは、同一符号を付して示し、その説明を省略すると共に、以下、第２実施形態の特徴部分を中心に説明するものとする。
【００５０】
図６は、スライドショー表示を例示した図である。
スライドショー機能を起動させると、所定フォルダ（例えば、お気に入り画像フォルダ）内の複数の画像データを所定時間毎（スライド時間：例えば、１０秒毎）に順次表示するスライドショー表示が開始されて、図６（１）に示すように１枚目の画像データが読み出されて表示される。この１枚目の画像を表示してからスライド時間（１０秒）が経過すると、図６（２）に示すように２枚目の画像データが読み出されて表示される。更に、２枚目の画像を表示してからスライド時間（１０秒）が経過すると、図６（３）に示すように３枚目の画像データが読み出されて表示される。
【００５１】
以下、お気に入り画像フォルダ内の複数の画像データがスライド時間毎に、順次読み出されて切り替え表示される。なお、スライド時間は、１０秒に限らず、予め任意に設定可能なもので、例えば、１５秒、５秒などであってもよい。また、スライド時間が経過する前であってもユーザ操作（画像切替操作）が行われたときには、その切替操作に応じて次の画像に切り替えるようにしている。
【００５２】
ここで、第２実施形態の特徴概要について簡単に説明しておくと、第２実施形態のデジタルフォトフレームは、スライドショー機能により複数の画像を順次サイクリックに切り替え表示している場合に、スライド時間内に表示画像を複数の段階の変換レベルに従って段階的に順次画像変換しながら変換画像を順次表示するようにし、スライド時間の経過又は画像切替操作が行われた際に、その時点での変換レベルを保持しておき、スライドショーが一巡して再び同じ画像を表示する際に、保持しておいた変換レベルからの画像変換に復帰させるようにしたものである。ここで、第２実施形態において画像変換の一時停止の条件が成立する際とは、複数の画像を順次切り替え表示するスライドショー表示中において次の画像に切り替え表示させるタイミングを意味している。また、画像変換の一時停止条件が解除される際とは、スライドショーが一巡して再び同じ画像を表示するタイミングを意味している。
【００５３】
図７は、スライドショー表示時においてスライド時間内に表示画像が複数の段階の変換レベルに従って段階的に所定の画調に順次画像変換されてゆく様子を例示した図である。
図７（１）〜（４）は、図５で示した２枚目の画調を５段階の変換レベルに従って段階的に絵画調（例えば、ペン絵画調）の画像に順次画像変換する場合を例示したものである。図７（１）は、オリジナル画像の表示状態を示し、図７（２）は、オリジナル画像を１段階目の変換レベル“１”に従って画像変換した後の画像の表示状態を示している。図７（３）は、オリジナル画像を２段階目の変換レベル“２”に従って画像変換した画像した後の表示状態を示し、図７（４）は、オリジナル画像を３段階目の変換レベル“３”に従って画像変換した後の画像の表示状態を示している。変換レベル“１”〜“３”は、絵画調の画像に変換する際のパラメータを徐々に強くすることを意味し、変換レベルは“１”＜“２”＜“３”…の関係にある。
【００５４】
図８及び図９は、デジタルフォトフレームの全体動作のうち、第２実施形態の特徴部分な動作を示したフローチャートで、ライドショー機能の起動に応じて実行開始される。この図８及び図９のフローから抜けた際には、全体動作のメインフロー（図示省略）に戻る。なお、図示省略したが、スライドショー機能の終了を指示する終了操作が行われたときには、図８及び図９のフローの終了となる。
先ず、スライドショー機能が起動されると、ユーザ操作により選択されたフォルダ（例えば、お気に入り画像フォルダ）内の各画像データを表示対象として抽出する（図８のステップＢ１）。そして、表示対象画像の中から先頭画像を第１画像として選択して（ステップＢ２）、この選択画像を表示させる（ステップＢ３）。そして、予め任意に設定されているスライド時間が経過したか又は画像切替操作が行われたかを調べ（ステップＢ４）、スライド時間の経過又は画像切替操作が行われるまで待機状態となる。
【００５５】
いま、スライド時間の経過又は画像切替操作が行われたときには（ステップＢ４でＹＥＳ）、最終画像まで表示を行ったかを調べるが（ステップＢ５）、最初は先頭画像を表示した場合であるから（ステップＢ５でＮＯ）次のステップＢ６に移って次の画像を選択する。そして、上述のステップＢ３に戻ってその画像を表示させる。以下、同様の動作は、最終画像が表示されるまで繰り返される。このようにスライドショーの一巡目では、各オリジナル画像を順次切り替え表示する処理が行われる。
【００５６】
ここで、スライドショーの一巡目が終了すると（ステップＢ５でＹＥＳ）、ステップＢ７に移り、再び、第１画像を選択して、この選択画像を表示させる（ステップＢ８）。そして、画像の変換タイミングになったか、例えば、選択画像を表示させてから所定時間（例えば、２秒）が経過したかを調べ（ステップＢ９）、変換タイミングになるまで待機するが、変換タイミングになったときには（ステップＢ９でＹＥＳ）、変換レベルを更新して選択画像の全体を絵画調（例えば、ペン絵画調）の画像に画像変換する処理を行った後（ステップＢ１０）、この変換画像を表示させる（ステップＢ１１）。これによって図６（１）に示したオリジナル画像は、図６（２）に示したように、１段階目の変換レベル“１”に従った画像に変換される。
【００５７】
そして、画像変換後、スライド時間が経過又は画像切替操作が行われたかを調べ（ステップＢ１２）、スライド時間が経過又は画像切替操作が行われるまで変換タイミングになったかを調べる上述のステップＢ９に戻る。以下、変換タイミングになる毎に、上述の画像変換を順次実行する動作を繰り返す。これによってオリジナル画像は、図６（３）に示したように、２段階目の変換レベル“２”に従った画像に変換される。更に、図６（４）に示すように、３段階目の変換レベル“３”に従った画像に変換される。以下、最終段階まで、例えば、変換レベル“５”まで画像変換が順次行われる。この場合、スライド時間の経過又は画像切替操作が行われたことを検出すると（ステップＢ１２でＹＥＳ）、画像変換は最終段階まで完了したかを調べ（ステップＢ１３）、最終段階まで完了していれば（ステップＢ１３でＹＥＳ）、後述するステップＢ１６に移るが、完了前であれば（ステップＢ１３でＮＯ）、変化途中の画像データ及び変換レベルを選択画像（オリジナル画像）に対応付けてワークメモリＭ３に一時保持しておく（ステップＢ１４）。
【００５８】
そして、変化途中の画像データが一時保持されていることを示すために保持フラグ（図示省略）を“オン”した後（ステップＢ１５）、最終画像まで表示を行ったかを調べるが（ステップＢ１６）、最初は先頭画像を表示した場合であるから（ステップＢ１６でＮＯ）、次のステップＢ１７に移り、次の画像を選択した後、その選択画像を表示させる（ステップＢ８）。以下、同様の動作は、最終画像が表示されるまで繰り返される。このようにスライドショーの二巡目は、表示中の画像を複数の段階の変換レベルに従って段階的に順次画像変換する処理が行われる。
【００５９】
そして、二巡目が終わると（ステップＢ１６でＹＥＳ）、図９のフローに移り、上述の２巡目で保持フラグが“オン”されたかを調べ（ステップＢ１８）、保持フラグが“オン”されていなければ（ステップＢ１８でＮＯ）、図８のステップＢ２に戻る。また、保持フラグが“オン”されていれば（ステップＢ１８でＹＥＳ）、画像変換が最終段階まで完了していない時点でスライド時間の経過又は画像切替操作が行われた場合であるから、再び、第１画像を選択した後（ステップＢ１９）、この選択画像に対応付けて変換途中画像データが保持されているかを調べる（ステップＢ）。いま、変換途中画像データが保持されていなければ（ステップＢ２０でＮＯ）、選択画像は最終段階まで画像変換が完了しているために選択画像（オリジナル画像）を表示させる（ステップＢ２３）。
【００６０】
変換途中画像データが保持されていれば（ステップＢ２０でＹＥＳ）、その変換途中画像データを変換レベルと共に読み出した後（ステップＢ２１）、変換途中画像データを表示させる（ステップＢ２２）。これによって二巡目で変換途中だった画像データを、三巡目で再び表示する際には、その変換途中の画像データからの表示となる。そして、変換タイミングになったか、例えば、選択画像を表示させてから所定時間（例えば、２秒）が経過したかを調べ（ステップＢ２４）、変換タイミングになるまで待機するが、変換タイミングになったときには（ステップＢ２４でＹＥＳ）、変換レベルを更新して選択画像の全体を絵画調（例えば、ペン絵画調）の画像に画像変換する処理を行い（ステップＢ２５）、この変換画像を表示させる（ステップＢ２６）。そして、スライド時間が経過又は画像切替操作が行われたかを調べ（ステップＢ２７）、スライド時間が経過又は画像切替操作が行われるまで変換タイミングになったかを調べる上述のステップＢ２４に戻り、以下、変換タイミングになる毎に、上述の画像変換を順次実行する動作を繰り返す。
【００６１】
いま、スライド時間の経過又は画像切替操作が行われたことを検出したときには（ステップＢ２７でＹＥＳ）、最終画像まで表示を行ったかを調べるが（ステップＢ２８）、最初は先頭画像を表示した場合であるから（ステップＢ２８でＮＯ）、次のステップＢ２９に移り、次の画像を選択する。そして、上述のステップＢ２０に移り、選択画像に変換途中の画像データが保持されているかを調べ、以下、最終画像が選択表示されるまで上述の動作を繰り返す。ここで、最終画像が選択表示されると（ステップＢ２８でＹＥＳ）、保持フラグが“オン”されていれば、それを“オフ”した後（ステップＢ３０）、図８のステップＢ２に戻る。
【００６２】
以上のように、第２実施形態においては、上述した第１実施形態と同様に、表示対象の画像を時間経過に応じて順次画像変換する途中で変換を一時停止させる事態が起きたとしてもその事態が解消した時点でその変換途中から画像変換を継続することができ、ユーザにあっては画像変化の様子を最後まで楽しむことができるほか、オリジナル画像を複数の段階の変換レベルに従って段階的に画像変換を順次行うようにしたので、ユーザにあっては時間経過に応じて画像が段階的に変化する変化具合を観察することができる。
【００６３】
変換途中で画像変換を一時停止させる停止条件が成立した際に、その時点における変換途中の状態を示す情報として変換レベルを保持するようにしたので、画像変換の復帰時には変換途中から画像変換を継続することができる。
【００６４】
複数の画像を順次切り替え表示するスライドショー表示中に次の画像が表示させる際に、画像変換の一時停止条件が成立したことを検出し、スライドショー表示が一巡して再び同じ画像を表示する際に、画像変換の一時停止条件が解除されたことを検出するようにしたので、一時停止条件の成立と解除をユーザにとって適切なタイミングで検出することができる。
【００６５】
なお、上述した第２実施形態においては、一巡目では画像変換を行わず、二巡目では画像変換を行い、三巡目では画像変換を行うほか、二巡目の表示時に変換途中で次の画像に切り替えられた画像を三巡目で再表示する際にその途中からの画像変換に復帰させるようにしたが、例えば、一巡目と二巡目のスライドショー表示をサイクリックに行うようにした場合には、途中からの画像変換を一巡目で行うようにしてもよい。
【００６６】
なお、上述した各実施形態においては、画像変換として絵画調の画像に変換するようにしたが、絵画調に限らず、フルカラー画像をモノクロ調に変換するなどであってもよく、変換の方法は問わない。
【００６７】
上述した各実施形態においては、デジタルフォトフレームに適用した場合を例示したが、これに限らず、例えば、パーソナルコンピュータ、ＰＤＡ、デジタルカメラ、音楽プレイヤー、携帯端末装置などにも同様に適用可能である。
【００６８】
また、上述した各実施形態において示した“装置”や“部”とは、機能別に複数の筐体に分離されていてもよく、単一の筐体に限らない。また、上述したフローチャートに記述した各ステップＡは、時系列的な処理に限らず、複数のステップＡを並列的に処理したり、別個独立して処理したりするようにしてもよい。
【００６９】
以上、この発明のいくつかの実施形態について説明したが、この発明は、これに限定されるものではなく、特許請求の範囲に記載された発明とその均等の範囲を含むものである。
以下、本願出願の特許請求の範囲に記載された発明を付記する。
【００７０】
（付記）
請求項１に記載の発明は、
表示対象の画像を表示する画像表示装置であって、
前記表示対象の画像を時間経過に応じて順次画像変換する画像変換手段と、
前記画像変換手段による画像変換の途中においてその変換を一時停止させる停止条件の成立及びその解除を検出する検出手段と、
前記検出手段により画像変換の一時停止条件が成立したことが検出された際に、その時点における変換途中の状態を示す情報を当該画像に対応付けて保持する保持手段と、
前記検出手段により前記画像変換の一時停止条件の解除が検出された際に、前記保持手段により保持されている変換途中の状態から前記画像変換を復帰させる制御手段と、
を備えたことを特徴とする画像表示装置、である。
【００７１】
請求項２に記載の発明は、請求項１に記載の画像表示装置において、
前記画像変換手段は、前記画像内の所定位置を変換基点として、その変換基点から徐々に変換領域を拡げながらその変換領域内の画像部分に対して画像変換を順次行う、
ようにしたことを特徴とする画像表示装置である。
【００７２】
請求項３に記載の発明は、請求項１に記載の画像表示装置において、
前記画像を表示する表示部としてタッチ入力が可能なタッチ表示部を備え、
前記画像変換手段は、前記タッチ表示部内の任意の位置がタッチされた際に、当該タッチ位置を変換基点とする、
ようにしたことを特徴とする画像表示装置である。
【００７３】
請求項４に記載の発明は、請求項１〜請求項３のいずれかに記載の画像表示装置において、
前記画像変換手段は、前記画像の周囲から徐々に変換領域を狭めながらその変換領域外の画像部分に対して画像変換を順次行う、
ようにしたことを特徴とする画像表示装置である。
【００７４】
請求項５に記載の発明は、請求項１〜請求項４のいずれかに記載の画像表示装置において、
前記保持手段は、現時点における変換途中の画像データを変換途中の状態を示す情報として保持する、
ようにしたことを特徴とする画像表示装置である。
【００７５】
請求項６に記載の発明は、請求項１記載の画像表示装置において、
前記画像変換手段は、前記画像を複数の段階の変換レベルに従って段階的に画像変換を順次行う、
ようにしたことを特徴とする画像表示装置である。
【００７６】
請求項７に記載の発明は、請求項６記載の画像表示装置において、
前記保持手段は、現時点における前記変換レベルを示す情報を変換途中の状態を示す情報として保持する、
ようにしたことを特徴とする画像表示装置である。
【００７７】
請求項８に記載の発明は、請求項１記載の画像表示装置において、
前記画像変換手段は、前記画像変換前の原画像を予め決められたアルゴリズムに基づいて所定の画調に順次変換する、
ようにしたことを特徴とする画像表示装置である。
【００７８】
請求項９に記載の発明は、請求項１記載の画像表示装置において、
前記画像変換手段は、前記画像変換前の原画像を予め決められたアルゴリズムに基づいて所定の画調に変換した変換済み画像を表示対象として、この変換済み画像を順次逆変換することにより元の原画像に徐々に戻す、
ようにしたことを特徴とする画像表示装置である。
【００７９】
請求項１０に記載の発明は、請求項１記載の画像表示装置において、
前記検出手段は、複数の画像を順次切り替え表示するスライドショー表示中に次の画像が表示させる際に、画像変換の一時停止条件が成立したことを検出し、スライドショー表示が一巡して再び同じ画像を表示する際に、画像変換の一時停止条件が解除されたことを検出する、
ようにしたことを特徴とする画像表示装置である。
【００８０】
請求項１１に記載の発明は、請求項１記載の画像表示装置において、
画像を表示する表示部に人物の視線が向いているか否かを監視する監視手段を更に備え、
前記検出手段は、前記監視手段により表示部から視線が離れて向いていないことが検出された際に、画像変換の一時停止条件が成立したことを検出し、前記監視手段により表示部に視線が戻されて向いていることが検出された際に、画像変換の一時停止条件が解除されたことを検出する、
ようにしたことを特徴とする画像表示装置である。
【００８１】
請求項１２に記載の発明は、請求項１記載の画像表示装置において、
画像を表示する表示部の前に人物が居るか否かを監視する第２の監視手段を更に備え、
前記検出手段は、前記第２の監視手段により表示部の前の人物が離れて居なくなったことが検出された際に、画像変換の一時停止条件が成立したことを検出し、前記第２の監視手段により表示部から離れた人物が戻って来てその前に居ることが検出された際に、画像変換の一時停止条件が解除されたことを検出する、
ようにしたことを特徴とする画像表示装置である。
【００８２】
請求項１３に記載の発明は、
コンピュータに対して、
表示対象の画像を表示する機能と、
前記表示対象の画像を時間経過に応じて順次画像変換する機能と、
画像変換の途中においてその変換を一時停止させる停止条件の成立及びその解除を検出する機能と、
前記画像変換の一時停止条件が成立したことが検出された際に、その時点における変換途中の状態を示す情報を当該画像に対応付けて保持する機能と、
前記画像変換の一時停止条件の解除が検出された際に、前記保持されている変換途中の状態から前記画像変換を復帰する機能と、
を実現させるためのプログラムである。
【符号の説明】
【００８３】
１  ＣＰＵ
３  記憶部
４  表示部
５  操作部
７  撮像部
８  画像変換処理部
Ｍ１  プログラムメモリ
Ｍ２  画像データメモリ
Ｍ３  ワークメモリ
【図１】
2012156703.tif 000003
【図２】
2012156703.tif 000004
【図３】
2012156703.tif 000005
【図４】
2012156703.tif 000006
【図５】
2012156703.tif 000007
【図６】
2012156703.tif 000008
【図７】
2012156703.tif 000009
【図８】
2012156703.tif 000010
【図９】
2012156703.tif 000011